(57)【要約】【課題】映像信号の実フレーム間に複数の補間フレームを内挿する場合に好適であり、動きベクトルが比較的大きい場合に誤検出が発生した場合でも補間画像の視覚的な違和感をさらに軽減することができる動きベクトル補正装置を提供する。【解決手段】動きベクトル検出部２は、映像信号における少なくとも２つの実フレーム内の画素データを用いて、２つの実フレーム間に内挿する複数の補間フレームを構成する補間画素データを生成する際に必要な動きベクトルを検出する。動きベクトル補正部４は、動きベクトルを、２つの実フレーム間の複数の補間フレームの位相に応じて減衰させるよう補正する。【選択図】図１
2013201607.tif 000002
【特許請求の範囲】
【請求項１】
入力された映像信号における少なくとも２つの実フレーム内の画素データを用いて、前記２つの実フレーム間に内挿する複数の補間フレームを構成する補間画素データを生成する際に必要な動きベクトルを検出する動きベクトル検出部と、
前記動きベクトルを、前記２つの実フレーム間の前記複数の補間フレームの位相に応じて減衰させるよう補正する動きベクトル補正部と、
を備えることを特徴とする動きベクトル補正装置。
【請求項２】
前記動きベクトル補正部は、前記２つの実フレーム間の時間的な中央から離れた位相の補間フレームを構成する補間画素データを生成する際に用いる動きベクトルの減衰の程度を、前記中央に位置する位相の補間フレームを構成する補間画素データを生成する際に用いる動きベクトルの減衰の程度よりも大きくすることを特徴とする請求項１記載の動きベクトル補正装置。
【請求項３】
入力された映像信号における少なくとも２つの実フレーム内の画素データを用いて、前記２つの実フレーム間に内挿する複数の補間フレームを構成する補間画素データを生成する際に必要な動きベクトルを検出し、
前記動きベクトルを、前記２つの実フレーム間の前記複数の補間フレームの位相に応じて減衰させるよう補正する
ことを特徴とする動きベクトル補正方法。
【請求項４】
前記２つの実フレーム間の時間的な中央から離れた位相の補間フレームを構成する補間画素データを生成する際に用いる動きベクトルの減衰の程度を、前記中央に位置する位相の補間フレームを構成する補間画素データを生成する際に用いる動きベクトルの減衰の程度よりも大きくすることを特徴とする請求項３記載の動きベクトル補正方法。
【請求項５】
入力された映像信号における少なくとも２つの実フレーム内の画素データを用いて、前記２つの実フレーム間に内挿する複数の補間フレームを構成する補間画素データを生成する際に必要な第１の動きベクトルを検出する動きベクトル検出部と、
前記第１の動きベクトルを、前記２つの実フレーム間の前記複数の補間フレームの位相に応じて減衰させるよう補正して、第２の動きベクトルとして出力する動きベクトル補正部と、
前記第２の動きベクトルに応じて前記２つの実フレーム内の画素データを選択し、選択した画素データを、前記複数の補間フレームそれぞれの位相に応じた割合で混合して前記複数の補間フレームを構成する補間画素データを生成する補間画素生成部と、
を備えることを特徴とする映像信号処理装置。
【請求項６】
前記動きベクトル補正部は、前記２つの実フレーム間の時間的な中央から離れた位相の補間フレームを構成する補間画素データを生成する際に用いる動きベクトルの減衰の程度を、前記中央に位置する位相の補間フレームを構成する補間画素データを生成する際に用いる動きベクトルの減衰の程度よりも大きくすることを特徴とする請求項５記載の映像信号処理装置。
【請求項７】
入力された映像信号における少なくとも２つの実フレーム内の画素データを用いて、前記２つの実フレーム間に内挿する複数の補間フレームを構成する補間画素データを生成する際に必要な第１の動きベクトルを検出し、
前記第１の動きベクトルを、前記２つの実フレーム間の前記複数の補間フレームの位相に応じて減衰させて第２の動きベクトルへと補正し、
前記第２の動きベクトルに応じて前記２つの実フレーム内の画素データを選択し、選択した画素データを、前記複数の補間フレームそれぞれの位相に応じた割合で混合して前記複数の補間フレームを構成する補間画素データを生成する
ことを特徴とする映像信号処理方法。
【請求項８】
前記２つの実フレーム間の時間的な中央から離れた位相の補間フレームを構成する補間画素データを生成する際に用いる動きベクトルの減衰の程度を、前記中央に位置する位相の補間フレームを構成する補間画素データを生成する際に用いる動きベクトルの減衰の程度よりも大きくすることを特徴とする請求項７記載の映像信号処理方法。
【発明の詳細な説明】
【技術分野】
【０００１】
本発明は、動きベクトルの誤検出による補間画像の視覚的な違和感を軽減することができる動きベクトル補正装置及び方法、並びに、映像信号処理装置及び方法に関する。
【背景技術】
【０００２】
液晶パネルを用いた画像表示装置で動画像を表示すると残像が生じやすい。そこで、残像を低減させるため、映像信号の実フレーム間に補間フレームを内挿してフレーム数を増大させ、例えば垂直周波数６０Ｈｚのフレームレートを２倍の１２０Ｈｚまたはそれ以上の垂直周波数に変換して画像表示することが行われている。フレームレート変換を行う映像信号処理装置においては、画像の動きベクトルを検出し、動きベクトルを用いて各補間画素を生成し、実フレーム間に内挿する補間フレームを生成する。
【０００３】
動きベクトルは、例えば連続した２フレームという限られたフレーム内の限られた範囲の画素データに基づいて生成される。従って、動きベクトルの誤検出を完全になくすことは難しい。そこで、動きベクトルの誤検出を低減するための技術改善が行われている。本出願人は、特許文献１にて、動きベクトルの誤検出が発生した場合でも補間画像の視覚的な違和感を軽減することができる動きベクトル補正装置及び方法、並びに、映像信号処理装置及び方法を提案した。
【先行技術文献】
【特許文献】
【０００４】
【特許文献１】特開２０１１−２３９３２５号公報
【発明の概要】
【発明が解決しようとする課題】
【０００５】
特許文献１においては、映像信号処理装置として、映像信号の実フレーム間に１つの補間フレームを内挿して、フレームレートを２倍に変換するフレームレート変換装置を例にしている。近年、映像信号の実フレーム間に３つの補間フレームを内挿して、フレームレートを４倍に変換するフレームレート変換装置が登場している。そこで、映像信号の実フレーム間に２つ以上の補間フレームを内挿する映像信号処理装置において、動きベクトルの誤検出が発生した場合でも補間画像の視覚的な違和感をさらに軽減することが求められる。
【０００６】
本発明はこのような要望に対応するため、映像信号の実フレーム間に複数の補間フレームを内挿する場合に好適であり、動きベクトルが比較的大きい場合に誤検出が発生した場合でも補間画像の視覚的な違和感をさらに軽減することができる動きベクトル補正装置及び方法、並びに、映像信号処理装置及び方法を提供することを目的とする。
【課題を解決するための手段】
【０００７】
本発明は、上述した従来の技術の課題を解決するため、入力された映像信号における少なくとも２つの実フレーム内の画素データを用いて、前記２つの実フレーム間に内挿する複数の補間フレームを構成する補間画素データを生成する際に必要な動きベクトルを検出する動きベクトル検出部（２）と、前記動きベクトルを、前記２つの実フレーム間の前記複数の補間フレームの位相に応じて減衰させるよう補正する動きベクトル補正部（４）とを備えることを特徴とする動きベクトル補正装置を提供する。
【０００８】
上記の動きベクトル補正装置において、前記動きベクトル補正部は、前記２つの実フレーム間の時間的な中央から離れた位相の補間フレームを構成する補間画素データを生成する際に用いる動きベクトルの減衰の程度を、前記中央に位置する位相の補間フレームを構成する補間画素データを生成する際に用いる動きベクトルの減衰の程度よりも大きくすることが好ましい。
【０００９】
また、本発明は、上述した従来の技術の課題を解決するため、入力された映像信号における少なくとも２つの実フレーム内の画素データを用いて、前記２つの実フレーム間に内挿する複数の補間フレームを構成する補間画素データを生成する際に必要な動きベクトルを検出し、前記動きベクトルを、前記２つの実フレーム間の前記複数の補間フレームの位相に応じて減衰させるよう補正することを特徴とする動きベクトル補正方法を提供する。
【００１０】
上記の動きベクトル補正方法において、前記２つの実フレーム間の時間的な中央から離れた位相の補間フレームを構成する補間画素データを生成する際に用いる動きベクトルの減衰の程度を、前記中央に位置する位相の補間フレームを構成する補間画素データを生成する際に用いる動きベクトルの減衰の程度よりも大きくすることが好ましい。
【００１１】
さらに、本発明は、上述した従来の技術の課題を解決するため、入力された映像信号における少なくとも２つの実フレーム内の画素データを用いて、前記２つの実フレーム間に内挿する複数の補間フレームを構成する補間画素データを生成する際に必要な第１の動きベクトルを検出する動きベクトル検出部（２）と、前記第１の動きベクトルを、前記２つの実フレーム間の前記複数の補間フレームの位相に応じて減衰させるよう補正して、第２の動きベクトルとして出力する動きベクトル補正部（４）と、前記第２の動きベクトルに応じて前記２つの実フレーム内の画素データを選択し、選択した画素データを、前記複数の補間フレームそれぞれの位相に応じた割合で混合して前記複数の補間フレームを構成する補間画素データを生成する補間画素生成部（５）とを備えることを特徴とする映像信号処理装置を提供する。
【００１２】
上記の映像信号処理装置において、前記動きベクトル補正部は、前記２つの実フレーム間の時間的な中央から離れた位相の補間フレームを構成する補間画素データを生成する際に用いる動きベクトルの減衰の程度を、前記中央に位置する位相の補間フレームを構成する補間画素データを生成する際に用いる動きベクトルの減衰の程度よりも大きくすることが好ましい。
【００１３】
さらにまた、本発明は、上述した従来の技術の課題を解決するため、入力された映像信号における少なくとも２つの実フレーム内の画素データを用いて、前記２つの実フレーム間に内挿する複数の補間フレームを構成する補間画素データを生成する際に必要な第１の動きベクトルを検出し、前記第１の動きベクトルを、前記２つの実フレーム間の前記複数の補間フレームの位相に応じて減衰させて第２の動きベクトルへと補正し、前記第２の動きベクトルに応じて前記２つの実フレーム内の画素データを選択し、選択した画素データを、前記複数の補間フレームそれぞれの位相に応じた割合で混合して前記複数の補間フレームを構成する補間画素データを生成することを特徴とする映像信号処理方法を提供する。
【００１４】
上記の映像信号処理方法において、前記２つの実フレーム間の時間的な中央から離れた位相の補間フレームを構成する補間画素データを生成する際に用いる動きベクトルの減衰の程度を、前記中央に位置する位相の補間フレームを構成する補間画素データを生成する際に用いる動きベクトルの減衰の程度よりも大きくすることが好ましい。
【発明の効果】
【００１５】
本発明の動きベクトル補正装置及び方法、並びに、映像信号処理装置及び方法によれば、映像信号の実フレーム間に複数の補間フレームを内挿する場合に、動きベクトルが比較的大きい場合に誤検出が発生した場合でも補間画像の視覚的な違和感をさらに軽減することができる。
【図面の簡単な説明】
【００１６】
【図１】本発明の一実施形態を示すブロック図である。
【図２】図１中の動きベクトル補正部４の動作を説明するための特性図である。
【図３】図１中の動きベクトル補正部４の動作を説明するための特性図である。
【図４】図１中の動きベクトル補正部４が第１のパラメータ組を用いた場合の補正特性を示す特性図である。
【図５】図１中の動きベクトル補正部４が第２のパラメータ組を用いた場合の補正特性を示す特性図である。
【図６】本発明の一実施形態による作用を説明するための補間画素の生成動作を示す図である。
【発明を実施するための形態】
【００１７】
以下、本発明の動きベクトル補正装置及び方法、並びに、映像信号処理装置及び方法の一実施形態について、添付図面を参照して説明する。図１に示す本発明の一実施形態は、映像信号処理装置の一例として、映像信号の実フレーム間に３つの補間フレームを内挿して、フレームレートを４倍に変換するフレームレート変換装置を示している。フレームレートを３倍に変換するフレームレート変換装置であってもよく、映像信号の実フレーム間に２つ以上の補間フレームを内挿する映像信号処理装置であればよい。
【００１８】
本発明の映像信号処理装置は、フレームレート変換装置に限定されるものではなく、動きベクトル検出装置を備えたフィルムジャダ除去装置であってもよい。本発明は、動きベクトル検出装置を備え、映像信号の実フレーム間に２つ以上の補間フレームを内挿する任意の映像信号処理装置に適用可能である。
【００１９】
図１において、６０Ｈｚのフレーム周波数を有する映像信号Ｓinの各画素データは、フレームメモリ１，動きベクトル検出部２，補間画素生成部５，フレーム周波数変換部６に順次入力される。フレームメモリ１は入力された画素データを１フレーム遅延して出力する。入力された映像信号Ｓinの現在フレームをＦ０、フレームメモリ１より出力された現在フレームより１フレーム前のフレームを前フレームＦ１とする。現在フレームＦ０及び前フレームＦ１は実フレームである。フレームＦ１の各画素データは、動きベクトル検出部２及び補間画素生成部５に順次入力される。
【００２０】
動きベクトル検出部２は、例えばマッチング法を用い、現在フレームＦ０と前フレームＦ１の画素データを用いて、現在フレームＦ０と前フレームＦ１との間に内挿する補間フレームの各補間画素データを生成するための動きベクトルＶ１を検出する。動きベクトルＶ１は画素データ単位で検出してもよいし、複数の画素データよりなるブロック単位で検出してもよい。特に図示しないが、動きベクトル検出部２は複数のラインメモリと画素遅延器、画素データの差分を求める減算器等を含んで構成される。動きベクトルＶ１は、動きベクトル補正部４に入力される。現在フレームＦ０と前フレームＦ１に加えて、前フレームＦ１よりも過去のフレームを用いて動きベクトルＶ１を検出してもよい。
【００２１】
補正パラメータ設定部７には、現在フレームＦ０と前フレームＦ１との間に内挿する補間フレームのフレーム位相を示すフェイズ信号Ｓphが入力される。補正パラメータ設定部７は、入力されたフェイズ信号Ｓphに応じて、動きベクトル補正部４が後述する動きベクトルＶ３を生成する際のパラメータデータＤprを動きベクトル補正部４に供給する。
【００２２】
図２，図３を用いて、動きベクトル補正部４の動作について説明する。動きベクトル補正部４は、入力された動きベクトルＶ１を図２に示す特定に従って動きベクトルＶ２に補正する。動きベクトル補正部４は、動きベクトルＶ１の大きさが０から第１のパラメータである閾値ｓまでの範囲では動きベクトルＶ１をそのまま動きベクトルＶ２とし、動きベクトルＶ１の大きさが閾値ｓを超えると、次の式（１）に基づいて動きベクトルＶ２を生成する。
Ｖ２＝Ｖ１×ｍ／ｎ＋ｓ×｛（ｎ−ｍ）／ｎ｝  …（１）
【００２３】
式（１）におけるｍ，ｎはｍ＜ｎである所定の自然数であり、値は適宜設定すればよい。ｍを第２のパラメータ、ｎを第３のパラメータとする。第２，第３のパラメータｍ，ｎは動きベクトルＶ２における閾値ｓを超えた部分の傾きを決定する。閾値ｓは、動きベクトルＶ１を減衰させる開始点となる。
【００２４】
動きベクトル補正部４は、さらに、動きベクトルＶ２を図３に示す特定に従って動きベクトルＶ３に補正する。動きベクトル補正部４は、動きベクトルＶ２の大きさが０から第４のパラメータである閾値ｒまでの範囲では動きベクトルＶ２をそのまま動きベクトルＶ３とする。動きベクトル補正部４は、動きベクトルＶ２の大きさが閾値ｒから第５のパラメータである閾値ｔまでの範囲ｈでは動きベクトルＶ３の値を一定値ｒに保持させる。さらに、動きベクトル補正部４は、動きベクトルＶ２の大きさが閾値ｔを超えると、次の式（２）に基づいて動きベクトルＶ３を生成する。
Ｖ３＝２×ｒ＋ｈ−Ｖ２  …（２）
【００２５】
式（２）により、動きベクトルＶ２の大きさが閾値ｔを超えると、動きベクトルＶ３の大きさは所定の割合で減衰して０に向かうことになる。
【００２６】
現在フレームＦ０と前フレームＦ１との間に内挿する３つの補間フレームのフレーム位相を、現在フレームＦ０側から前フレームＦ１側の補間フレームの順にph0，ph1，ph2とする。補正パラメータ設定部７は、フェイズ信号Ｓphがフレーム位相ph0，ph2のときには、第１〜第５のパラメータよりなるパラメータ組（ｓ，ｍ，ｎ，ｒ，ｔ）として、第１のパラメータ組（ｓ１，ｍ１，ｎ１，ｒ１，ｔ１）をパラメータデータＤprとして動きベクトル補正部４に供給する。第１のパラメータ組（ｓ１，ｍ１，ｎ１，ｒ１，ｔ１）は、動きベクトルＶ３が減衰する割合が比較的大きい値とする。
【００２７】
また、補正パラメータ設定部７は、フェイズ信号Ｓphがフレーム位相ph1のときには、第１〜第５のパラメータよりなるパラメータ組（ｓ，ｍ，ｎ，ｒ，ｔ）として、第２のパラメータ組（ｓ２，ｍ２，ｎ２，ｒ２，ｔ２）をパラメータデータＤprとして動きベクトル補正部４に供給する。第２のパラメータ組（ｓ２，ｍ２，ｎ２，ｒ２，ｔ２）は、動きベクトルＶ３が減衰する割合が比較的小さい値とする。
【００２８】
図４は、動きベクトル補正部４が、第１のパラメータ組（ｓ１，ｍ１，ｎ１，ｒ１，ｔ１）を用いて動きベクトルＶ１を動きベクトルＶ３に補正した場合の補正特性を示している。図４では、動きベクトルＶ３は範囲ｈ１で一定値ｒ１に保持される。図５は、動きベクトル補正部４が、第２のパラメータ組（ｓ２，ｍ２，ｎ２，ｒ２，ｔ２）を用いて動きベクトルＶ１を動きベクトルＶ３に補正した場合の補正特性を示している。図５では、動きベクトルＶ３は範囲ｈ１より大きい範囲ｈ２で一定値ｒ２に保持される。
【００２９】
図４，図５を比較すれば分かるように、動きベクトル補正部４は、現在フレームＦ０と前フレームＦ１との時間的な中央に相当するフレーム位相ph1のときには、動きベクトルＶ１を減衰させる程度を比較的小さくし、時間的な中央から離れたフレーム位相ph0，ph2のときには、動きベクトルＶ１を減衰させる程度を比較的大きくする。
【００３０】
図４において、動きベクトルＶ１がベクトルＶ１０であるとすると、動きベクトル補正部４によって補正される動きベクトルＶ３はベクトルＶ３１となる。一方、図５においては、動きベクトルＶ１が図４に示すベクトルＶ１０と同じベクトルＶ１０のとき、動きベクトル補正部４によって補正される動きベクトルＶ３はベクトルＶ３１よりも大きいベクトルＶ３２となる。このように、動きベクトル補正部４は、現在フレームＦ０と前フレームＦ１との間に内挿する補間フレームのフレーム位相に応じて動きベクトルＶ１を減衰させて動きベクトルＶ３へと補正する際の減衰の程度を異ならせている。
【００３１】
現在フレームＦ０と前フレームＦ１との間に内挿する補間フレームのフレーム位相に応じてパラメータ組（ｓ，ｍ，ｎ，ｒ，ｔ）の値を異ならせているのは、動きベクトル検出部２が動きベクトルＶ１を誤検出した場合に、視覚的な違和感に影響する度合いが補間フレームのフレーム位相によって異なるからである。本発明者による検証によって、補間フレームのフレーム位相が、現在フレームＦ０と前フレームＦ１との時間的な中央の位置から見て離れた位置にある場合の方が視覚的な違和感に影響する度合いが大きいことが明らかとなった。
【００３２】
そこで、本実施形態においては、フレーム位相ph0，ph2では第１のパラメータ組（ｓ１，ｍ１，ｎ１，ｒ１，ｔ１）を用いて図４の特性とする一方で、フレーム位相ph1では第２のパラメータ組（ｓ２，ｍ２，ｎ２，ｒ２，ｔ２）を用いて図５の特性としている。なお、フレーム位相ph0，ph2では、現在フレームＦ０と前フレームＦ１との時間的な中央の位置から見て時間的に同じ位置にあると想定し、動きベクトルＶ１を誤検出した場合に視覚的な違和感に影響する度合いは同等であるとみなして、同じパラメータ組である第１のパラメータ組（ｓ１，ｍ１，ｎ１，ｒ１，ｔ１）を用いている。
【００３３】
ここでは、現在フレームＦ０と前フレームＦ１との間に３つの補間フレームを内挿する場合について説明したが、補間フレームの数がいくつであっても、現在フレームＦ０と前フレームＦ１との時間的な中央の位置から見た時間的な位置に応じて、パラメータ組（ｓ，ｍ，ｎ，ｒ，ｔ）の値を設定すればよい。中央の位置から離れるに従って減衰の程度が大きくなるようにパラメータ組（ｓ，ｍ，ｎ，ｒ，ｔ）の値を設定することが好ましい。また、動きベクトルＶ１を誤検出した場合に視覚的な違和感に影響する度合いに応じてパラメータ組（ｓ，ｍ，ｎ，ｒ，ｔ）の値を設定してもよい。
【００３４】
現在フレームＦ０と前フレームＦ１との間に偶数の補間フレームを内挿する場合には、現在フレームＦ０と前フレームＦ１との時間的な中央のフレーム位相の補間フレームは存在しない。このような場合には、中央の位置から最も近いフレーム位相の補間フレームを、中央のフレーム位相と同等とすればよい。
【００３５】
第１のパラメータ組（ｓ１，ｍ１，ｎ１，ｒ１，ｔ１）と第２のパラメータ組（ｓ２，ｍ２，ｎ２，ｒ２，ｔ２）との第１〜第５のパラメータの値は全て異なっていてもよいし、一部で同じであってもよい。このように、補間フレームのフレーム位相に応じてパラメータ組（ｓ，ｍ，ｎ，ｒ，ｔ）の値を異ならせる際には、第１〜第５のパラメータの値を全て異ならせる必要はなく、動きベクトルＶ１を減衰させて動きベクトルＶ３へと補正する際に減衰の程度が異なるように、第１〜第５のパラメータの値の少なくとも一部を異ならせればよい。
【００３６】
以上のようにして、動きベクトル補正部４より出力された動きベクトルＶ３は補間画素生成部５に入力される。特に図示しないが、補間画素生成部５は、現在フレームＦ０の画素データを水平方向及び垂直方向に遅延させ、現在フレームＦ０内の所定の水平方向及び垂直方向の範囲の画素データを生成する複数のラインメモリ及び画素遅延器と、前フレームＦ１の画素データを水平方向及び垂直方向に遅延させ、前フレームＦ１内の所定の水平方向及び垂直方向の範囲の画素データを生成する複数のラインメモリ及び画素遅延器とを備える。また、補間画素生成部５は、動きベクトルＭＶ３に応じて、現在フレームＦ０内の画素データと前フレームＦ１内の画素データとを選択して混合して補間画素データを生成する混合部を備える。
【００３７】
補間画素生成部５には、フェイズ信号Ｓphが入力される。補間画素生成部５の混合部は、現在フレームＦ０内の画素データと前フレームＦ１内の画素データとを混合する際に、フェイズ信号Ｓphが示すフレーム位相に応じて混合する割合を決定して両者を混合する。これによって、補間画素生成部５は、現在フレームＦ０と前フレームＦ１との間に内挿するそれぞれのフレーム位相の補間フレームを構成する補間画素データを生成することができる。
【００３８】
フレーム周波数変換部６には、現在フレームＦ０の画素データと補間画素生成部５より出力された３つの補間フレームそれぞれの補間画素データとが順次入力される。フレーム周波数変換部６には、フェイズ信号Ｓphも入力される。フレーム周波数変換部６は時系列変換メモリによって構成することができる。フレーム周波数変換部６は、順次入力される現在フレームＦ０の画素データに基づいて実フレームである現在フレームＦ０を生成し、順次入力されるフレーム位相ph0，ph1，ph2それぞれの画素データに基づいて３つの補間フレームを生成する。
【００３９】
フレーム周波数変換部６は、周波数２４０Ｈｚで、フレーム位相ph2の補間フレーム、フレーム位相ph1の補間フレーム、フレーム位相ph0の補間フレーム、現在フレームＦ０の順で出力して、２４０Ｈｚのフレーム周波数を有する映像信号Ｓoutを出力する。
【００４０】
図６を用いて本実施形態による作用について説明する。図６（Ａ）は、本実施形態による作用であり、本実施形態による補間画素の生成動作を示している。図６（Ｂ）は、比較のため、特許文献１に記載の構成による補間画素の生成動作を示している。
【００４１】
まず、図６（Ｂ）について説明する。図６（Ｂ）において、動きベクトルＶ１がベクトルＶ１０であったとし、特許文献１に記載の構成によって動きベクトルＶ１が減衰されてベクトルＶ３０に補正されたとする。特許文献１に記載の構成においては、フレーム位相ph0，ph1，ph2のいずれの補間画素データを生成する際にもベクトルＶ３０が用いられる。前フレームＦ１内の画素データｄ10と現在フレームＦ０内の画素データｄ00とが、フレーム位相ph0，ph1，ph2それぞれの位相に応じた割合で混合されて補間画素データｉ00，ｉ10，ｉ20が生成される。
【００４２】
これに対して、本実施形態においては、動きベクトルＶ１がベクトルＶ１０であったとすると、フレーム位相ph1では動きベクトルＶ１が減衰されてベクトルＶ３２に補正され、フレーム位相ph0，ph2では、ベクトルＶ３２よりもさらに減衰されてベクトルＶ３１に補正される。フレーム位相ph1では、前フレームＦ１内の画素データｄ１２と現在フレームＦ０内の画素データｄ02とがフレーム位相ph1の位相に応じた割合で混合されて補間画素データｉ11が生成される。フレーム位相ph0，ph2では、前フレームＦ１内の画素データｄ11と現在フレームＦ０内の画素データｄ01とがフレーム位相ph0，ph2のそれぞれの位相に応じた割合で混合されて補間画素データｉ01，ｉ21が生成される。
【００４３】
本実施形態では、動きベクトル検出部２が検出した動きベクトルＶ１を、動きベクトルＶ１の状態にかかわらず、動きベクトル補正部４によって、図４または図５に示す補正特性によって減衰させるよう補正している。特許文献１に記載されているような動きベクトル状態判定部を設けて、動きベクトルＶ１の状態に応じて動きベクトルＶ１を動きベクトルＶ３に補正するようにしてもよい。
【００４４】
この場合、例えば、補正パラメータ設定部７の前段に動きベクトル状態判定部を設け、動きベクトル状態判定部で判定した判定信号を補正パラメータ設定部７に入力する。そして、補正パラメータ設定部７は、補間フレームのフレーム位相に応じて決定したパラメータ組（ｓ，ｍ，ｎ，ｒ，ｔ）の値を、判定信号に応じてさらに調整するように構成すればよい。
【００４５】
本発明は以上説明した本実施形態に限定されることはなく、本発明の要旨を逸脱しない範囲において種々変更可能である。本発明は本実施形態で説明した装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【００４６】
１  フレームメモリ
２  動きベクトル検出部
４  動きベクトル補正部
５  補間画素生成部
６  フレーム周波数変換部
７  補正パラメータ設定部
【図１】
2013201607.tif 000003
【図２】
2013201607.tif 000004
【図３】
2013201607.tif 000005
【図４】
2013201607.tif 000006
【図５】
2013201607.tif 000007
【図６】
2013201607.tif 000008